(57)【要約】【課題】分岐流雪溝に流水を流れ込みやすくして、分岐流雪溝に常に適正な分水量を確保できるようにする。【解決手段】流水とともに雪塊を流し去るための流雪溝１と、この流雪溝１から分岐する分岐流雪溝２との分岐部分に設けられる分岐設備であって、分岐部分にピット３が形成され、このピット３内に流雪溝１を繋ぐ水路部材６が橋架され、ピット３の底部にインバート４が形成され、このインバート４と分岐流雪溝２とが連通されるとともに、水路部材６の底部６ｂに、水路部材６内の流水をインバート４から分岐流雪溝２に分水する分水用開口６ｃが形成されている。【選択図】　図１
2004060166.tif 000002
【特許請求の範囲】
【請求項１】
流水とともに雪塊を流し去るための流雪溝と、この流雪溝から分岐する分岐流雪溝との分岐部分に設けられる分岐設備であって、
上記分岐部分にピットが形成され、このピット内に上記流雪溝を繋ぐ水路部材が橋架され、上記ピットの底部にインバートが形成され、このインバートと上記分岐流雪溝とが連通されるとともに、上記水路部材の底部に、水路部材内の流水を上記インバートから分岐流雪溝に分水する分水用開口が形成されていることを特徴とする流雪溝の分岐設備。
【請求項２】
上記水路部材の底部に、上記分水用開口を開閉可能なシャッター部材が設けられている請求項１記載の流雪溝の分岐設備。
【請求項３】
上記水路部材の底部に、上記分水用開口の下流側に位置して上下動可能な可動堰部材が設けられている請求項１または２記載の流雪溝の分岐設備。
【請求項４】
上記可動堰部材に対応する水路部材の底部に、排砂用開口が形成され、この可動堰部材は、排砂用開口を開放できるように下流側が取り外し可能である請求項３記載の流雪溝の分岐設備。
【請求項５】
上記ピットのインバートは、上下流方向に湾曲されている請求項１〜４のいずれかに記載の流雪溝の分岐設備。
【請求項６】
上記水路部材の側部に、水路部材内の流水を上記分岐流雪溝に分水する緊急分水用開口が形成されるとともに、この緊急分水用開口を開閉可能なゲートが設けられている請求項１〜５のいずれかに記載の流雪溝の分岐設備。
【請求項７】
上記水路部材内に、分水用開口に引っ掛かったゴミを引っ掛けて上方に持ち上げ可能なゴミ取り部材が設けられている請求項１〜６のいずれかに記載の流雪溝の分岐設備。
【発明の詳細な説明】
【０００１】
【発明の属する技術分野】
本発明は、流雪溝の分岐設備に関する。
【０００２】
【従来の技術】
豪雪地帯においては、道路などに積もった雪塊は、道路の側部などに設けられている流雪溝に投入して、この流雪溝で流水ととも下流側に流し去るようにしている。
【０００３】
このような流雪溝は、道路に沿って町中を網の目状に巡らされていることから、流雪溝からＹ字状やＴ字状で分岐する分岐流雪溝が到る所に設けられている。
【０００４】
ところで、流雪溝では流水とともに雪塊を下流側に流し去るようにして、分岐流雪溝には流水だけを流すことにより、分岐流雪溝に雪塊を投入して、この分岐流雪溝でも流水とともに雪塊を下流側に流し去るようにしている。
【０００５】
このため、流雪溝と分岐流雪溝との分岐部分に、分岐流雪溝には流水だけを流せるようにした分岐設備を設けることが本出願人によって提案されている（特願２００１−１１２５７５号参照）。
【０００６】
上記分岐設備は、流雪溝を閉じる位置と分岐流雪溝を閉じる位置とに相対的に可動するゲートであり、このゲート下部開口をシャッターで開閉できるようにしている。
【０００７】
そして、ゲートで分岐流雪溝を閉じてシャッターで下部開口を開くと、雪塊は流水の水面近くに浮かんだ状態であるから、下部開口から流水だけが分岐流雪溝に流れ込むようになる。
【０００８】
【発明が解決しようとする課題】
しかしながら、流雪溝が急勾配であるような場合には、流水の流速が非常に早くなるので、ゲートの下部開口から流水が分岐流雪溝に流れ込みにくくなるという問題があった。
【０００９】
また、流雪溝の流水の水位が下がったような場合には、ゲートの下部開口が雪塊で塞がれて雪塊が渋滞し、流水が分岐流雪溝に流れ込みにくくなるという問題もあった。
【００１０】
本発明は、上記問題を解消するためになされたもので、分岐流雪溝に流水を流れ込みやすくして、分岐流雪溝に常に適正な分水量を確保できるようにした流雪溝の分岐設備を提供することを課題とするものである。
【００１１】
【課題を解決するための手段】
上記課題を解決するために、本発明は、流水とともに雪塊を流し去るための流雪溝と、この流雪溝から分岐する分岐流雪溝との分岐部分に設けられる分岐設備であって、
上記分岐部分にピットが形成され、このピット内に上記流雪溝を繋ぐ水路部材が橋架され、上記ピットの底部にインバートが形成され、このインバートと上記分岐流雪溝とが連通されるとともに、上記水路部材の底部に、水路部材内の流水を上記インバートから分岐流雪溝に分水する分水用開口が形成されていることを特徴とする流雪溝の分岐設備を提供するものである。
【００１２】
本発明によれば、分岐部分のピット内では、流雪溝を繋ぐように架橋された水路部材（流雪溝の一部）で流水とともに雪塊が流し去られるとともに、水路部材の底部の分水用開口から流水だけがピット底部のインバートから分岐流雪溝に分水されて流れ込むようになる。
【００１３】
この水路部材の分水用開口は底部に形成されていることから、流雪溝が急勾配で、流水の流速が非常に早くなったとしても、流水が底部の分水用開口から分岐流雪溝に流れ込みやすくなる。また、流雪溝の流水の水位が下がったとしても、雪塊は流水の水面近くに浮かんだ状態であるから、底部の分水用開口が雪塊で塞がれて雪塊が渋滞するおそれがなくなって、分水用開口から流水だけが分岐流雪溝に流れ込むようになる。これらのことから、分岐流雪溝に常に適正な分水量を確保できるようになる。
【００１４】
請求項２のように、上記水路部材の底部に、上記分水用開口を開閉可能なシャッター部材が設けられていると、分水量を調整することができる。
【００１５】
請求項３のように、上記水路部材の底部に、上記分水用開口の下流側に位置して上下動可能な可動堰部材が設けられていると、流雪溝の一部である水路部材内の水位が下がったときに、可動堰部材を堰高にして水位を上げることにより、分水用開口が雪塊で塞がれて雪塊が渋滞するおそれがなくなる。
【００１６】
請求項４のように、上記可動堰部材に対応する水路部材の底部に、排砂用開口が形成され、この可動堰部材は、排砂用開口を開放できるように下流側が取り外し可能であると、可動堰部材の下流側を取り外して排砂用開口を開放することにより、ピットのインバートに堆積した砂を分水の水流によって排砂用開口から流雪溝に排出できるようになる。
【００１７】
請求項５のように、上記ピットのインバートは、上下流方向に湾曲されていると、水利特性が向上するとともに、堆積した砂をスムーズに排出できるようになる。
【００１８】
請求項６のように、上記水路部材の側部に、水路部材内の流水を上記分岐流雪溝に分水する緊急分水用開口が形成されるとともに、この緊急分水用開口を開閉可能なゲートが設けられていると、水路部材の下流側の流雪溝で雪塊が渋滞しているような緊急時に、水路部材の分水用開口をバイパスして、上流側の流雪溝から流水とともに雪塊を直接に分岐流雪溝に流し去ることができる。
【００１９】
請求項７のように、上記水路部材内に、分水用開口に引っ掛かったゴミを引っ掛けて上方に持ち上げ可能なゴミ取り部材が設けられていると、分水用開口に引っ掛かったゴミは、ゴミ取り部材で水面上に持ち上げて簡単に取り除くことができる。
【００２０】
【発明の実施の形態】
以下、本発明の実施の形態を図面を参照して詳細に説明する。
【００２１】
図１は流雪溝の分岐設備の平面図、図２は側面図、図３は図２のＡ−Ａ線断面図である。
【００２２】
流水とともに雪塊を流し去るための流雪溝１と、この流雪溝１から分岐する分岐流雪溝２との分岐部分には、有底四角形状のピット３が形成されている。この流雪溝１と分岐流雪溝２には、通常はコンクリート蓋が落とし込まれて暗渠になっており、ピット３には、格子状のグレーチィングが落とし込まれて閉じられている。
【００２３】
上記ピット３の底部には、流雪溝１の底部１ａよりも低くなるように凹ませたインバート４が形成され、このインバート４は、上下流方向に湾曲されている（図２参照）。このインバート４の底部４ａは、上記分岐流雪溝２の底部２ａとほぼ一致するように形成され、これによってインバート４と分岐流雪溝２とが段差なく連通されるようになる（図３参照）。また、分岐流雪溝２とは反対側のインバート４の底部４ａは傾斜面４ｂに形成されている。
【００２４】
上記ピット３内には、図４および図５にも示すように、上流側と下流側の流雪溝１を繋ぐ水路部材６が橋架されている。この水路部材６は、例えばステンレス板で略Ｕ字形状に成形されて、上流側端部と下流側端部とが、ピット３の上流側開口３ａと下流側開口３ｂとに嵌め込まれた状態でフランジ部６ａがそれぞれ固定されている。
【００２５】
上記水路部材６の底部６ｂの上流側には、幅方向に一定のピッチで上下流方向に延在するスリット状の分水用開口６ｃが形成されている。本例では、幅方向に６個の分水用開口６ｃが形成されている。上記底部６ｂの下面の分水用開口６ｃの上下流方向の両側位置には、スペーサ６ｄが固定され、上流位置のスペーサ６ｄにはストッパー溝６ｅが形成されている（図６参照）。
【００２６】
上記水路部材６の底部６ｂの下流側には、排砂用開口６ｆが形成されるとともに、この排砂用開口６ｆの下流側に位置する水路部材６の両側部６ｇには、底部６ｂの上面と所定の隙間を隔てて内方に突出するガイド６ｈが取付けられている。また、排砂用開口６ｆの上下流方向のほぼ中間に位置する水路部材６の両側部６ｇの下部には、上下方向の長穴６ｉが形成されるとともに、この長穴６ｉの上方に位置する水路部材６の両側部６ｇの上部には、上下方向に一体のピッチ（例えば２５ｍｍ）で係止溝７ａを形成した係止部材７が取付けられている。
【００２７】
上記水路部材６の上流側の底部６ｂのスペーサ６ｄの間には、分水用開口６ｃと同じピッチで開口９ａを形成したシャッター部材９が配置され、このシャッター部材９は、図６および図７にも示すように、上記スペーサ６ｄに固定したガイドプレート１０で底部６ｂとの間で幅方向にスライド可能に支持されている。
【００２８】
そして、シャッター部材９の開口９ａが分水用開口６ｃと一致する開スライド時には、水路部材６内の水流を各開口６ｃ，９ａからインバート４の方向に分水するとともに、シャッター部材９の開口９ａが分水用開口６ｃと一致しない閉スライド時には、水路部材６内の水流を分流しないでそのまま下流側の流雪溝１に流し去るようになる。
【００２９】
上記シャッター部材９の側部には、上記スペーサ６ｄのストッパー溝６ｅ内に入るストッパー部９ｂが形成され、このストッパー部９ｂによりシャッター部材９が開閉位置でストップされるようになる。
【００３０】
上記シャッター部材９の幅方向の一端部にはピン９ｃが取付けられるととともに、上記水路部材６の一方（分岐流雪溝２の反対側）の側部６ｇの外面には上下のブラケット１１でシャッター操作軸１２が支持されて、このシャッター操作軸１２の下端部に取付けたレバー１３の長穴１３ａに上記シャッター部材９にピン９ｃが係合されている。また、シャッター操作軸１２の上端部には、図１３（ａ）（ｂ）に示したようなＴ型ハンドル１４の角穴１４ａを上方から差し込み可能な角部１２ａが形成されている。
【００３１】
そして、Ｔ型ハンドル１４の角穴１４ａを角部１２ａに差し込んで、Ｔ型ハンドル１４を一方回りに回転させると、シャッター操作軸１２が同回り（図６（ｂ）において左回り）に回転されて、レバー１３の長穴１３ａとピン９ｃを介してシャッター部材９が閉スライドするとともに、逆に、Ｔ型ハンドル１４を他方回りに回転させると、シャッター操作軸１２が同回り（図６（ｂ）において右回り）に回転されて、レバー１３の長穴１３ａとピン９ｃを介してシャッター部材９が開スライドするようになる。このシャッター部材９の開閉スライド位置は、Ｔ型ハンドル１４の回転操作量で微調整することができる。
【００３２】
上記水路部材６の排砂用開口６ｆの上部には、この排砂用開口６ｆを塞ぐ可動堰部材１６が配置されている。この可動堰部材１６は、図８および図９にも示すように、上記水路部材６の両側部６ｇの内幅とほぼ同じ外幅に形成されて、山形に湾曲させた湾曲板１６ｂと、この湾曲板１６ｂの上流側にヒンジ部１７ｂで連結された前平板１６ａと、上記湾曲板１６ｂの下流側にヒンジ部１７ｃで連結された中間平板１６ｃと、この中間平板１６ｃにヒンジ部１７ｄで連結された後平板１６ｄとで構成されている。
【００３３】
上記前平板１６ａの先端部は水路部材６の底部６ｂにヒンジ部１７ａで固定されるとともに、上記後平板１６ｄは、上記排砂用開口６ｆの下流側に位置する水路部材６の両側部６ｇの底部６ｂの上面とガイド６ｈとの間に上流側から差し込まれている。
【００３４】
そして、湾曲板１６ｂが水流圧で水路部材６の底部６ｂに押し付けられている状態（最低堰高…図２の実線および図８（ｂ）の二点鎖線ａ参照）から、後述する堰操作軸２０の操作で湾曲板１６ｂを徐々に上動させると、これに追従して各平板１６ａ，１６ｃ，１６ｄが各ヒンジ部１７ａ〜１７ｃで折れながら、後平板１６ｄがガイド６ｆでガイドされて上流側方向に移動するようになる（最高堰高…図８（ｂ）の実線ｂおよび図９（ｂ）参照）。
【００３５】
上記可動堰部材１６の下流端の後平板１６ｄは、底部６ｂの上面とガイド６ｈとの間から上流方向に抜き取りできるようになっていて、この抜き取りによって、上記水路部材６の排砂用開口６ｆを開放できるようになる。
【００３６】
上記湾曲板１６ｂの下面には幅方向に延在する湾曲状ブロック１８が差し込まれ、この湾曲状ブロック１８の両端のピン１８ａが上記水路部材６の両側部６ｇの長穴６ｉに係合されて外方に突出されている。この外方に突出された各ピン１８ａには、長穴６ｉからの水洩れを防止するシール部材１９が固定され、この各シール部材１９には、堰操作軸２０の下端部が取付けられている。また、堰操作軸２０の上端部には、図８（ｂ）および図９（ａ）に示したように、上記係止部材７の上下方向の係止溝７ａのいずれか１つに係合可能なＬ字状フック部２０ａが形成されている。
【００３７】
そして、図８（ｂ）に二点鎖線で示したようなフック状操作レバー２１を堰操作軸２０のフック部２０ａに引っ掛けて、係止部材７の上下方向の係止溝７ａのいずれか１つに係合させるように操作することで、可動堰部材１６の堰高を段階的に調整できるようになる。
【００３８】
図１〜図３に戻って、上記分水用開口６ｃが位置する水路部材６の他方（分岐流雪溝２と同じ側）の側部６ｇには緊急分水用開口６ｊが形成されるとともに、この緊急分水用開口６ｊには、下流側のゲート操作軸２４を中心にして、緊急分水用開口６ｊを閉じる閉じ位置（実線ｃ参照）と、水路部材６内に揺動して緊急分水用開口６ｊを開く開き位置（二点鎖線ｄ参照）とに開閉可能な旋回式のゲート２５が設けられている。
【００３９】
このゲート操作軸２４の上端部には、図１３（ａ）（ｂ）に示したようなＴ型ハンドル１４の角穴１４ａを上方から差し込み可能な角部２４ａが形成されていて、Ｔ型ハンドル１４の角穴１４ａを角部２４ａに差し込んで、Ｔ型ハンドル１４を一方回りに回転させると、ゲート操作軸２４が同回り（図１において左回り）に回転されて、ゲート２５が開き旋回するとともに、逆に、Ｔ型ハンドル１４を他方回りに回転させると、ゲート操作軸２４が同回り（図１において右回り）に回転されて、ゲート２５が閉じ旋回するようになる。なお、このゲート２５は閉じまたは開き位置に水流圧で自然に保持されるようになる。
【００４０】
図１１および図１２に示すように、上記旋回式のゲート２５に代えて、緊急分水用開口６ｊには、水路部材６の他方（分岐流雪溝２と同じ側）の側部６ｇに取付けたガイドレール２６で、緊急分水用開口６ｊを閉じる閉じ位置と、上方にスライドして緊急分水用開口６ｊを開く開き位置（二点鎖線ｄ参照）とに上下開閉可能なスライド式のゲート２５を設けても良い。
【００４１】
このスライド式のゲート２５の外面側には、ゲート操作ねじ軸２７の下端部が固定され、このゲート操作ねじ軸２７の中間部は、水路部材６の他方（分岐流雪溝２と同じ側）の側部６ｇに取付けたナット部材２８に螺合されて、上端部には、図１３（ａ）（ｂ）に示したようなＴ型ハンドル１４の角穴１４ａを上方から差し込み可能な角部２７ａが形成されていて、Ｔ型ハンドル１４の角穴１４ａを角部２７ａに差し込んで、Ｔ型ハンドル１４を一方回りに回転させると、ゲート操作ねじ軸２７が同回り（図１１において左回り）に回転されて、ゲート２５が開きスライド（上動）するとともに、逆に、Ｔ型ハンドル１４を他方回りに回転させると、ゲート操作ねじ軸２７が同回り（図１１において右回り）に回転されて、ゲート２５が閉じスライド（下動）するようになる。
【００４２】
図１０に示すように、略Ｕ字形状のゴミ取り部材３３を設けて、このゴミ取り部材３３の両上端部は、上記水路部材６内で両側部６ｇにピン３４で上下揺動可能に取付けるとともに、下揺動位置で水路部材６の底部６ｂの上面すれすれに設定した下部の引っ掛け部３３ａの前端部は傾斜面に形成されている。
【００４３】
このゴミ取り部材３３は、図１０（ｂ）の実線ｅの下揺動位置では、引っ掛け部３３ａが水路部材６の分水用開口６ｃの下流端に臨んで、分水用開口６ｃの下流端に引っ掛かるゴミが同時に引っ掛け部３３ａにも引っ掛かるようにしている。
【００４４】
上記のように構成した流雪溝１の分岐設備の作用を次に説明する。通常時は、水路部材６の分水用開口６ｃはシャッター部材９で閉じられ、緊急分水用開口６ｊはゲート２５で閉じられ、可動堰部材１６は最低堰高に調整され、ゴミ取り部材３３は下揺動位置に下揺動されている。
【００４５】
そして、上流側の流雪溝１から流水とともに流れてきた雪塊は、流雪溝１の一部である水路部材６内を通って下流側の流雪溝１に流し去られるようになる。
【００４６】
この状態で、分岐流雪溝２に流水のみを分水する必要が生じた時には、Ｔ型ハンドル１４でシャッター操作軸１２を図６（ａ）において右回りに回転させると、シャッター部材９が開スライドするようになる。
【００４７】
これにより、水路部材６内を通る流水と雪塊の内、流水の水面近くに浮かんだ雪塊は底部６ｂの分水用開口６ｃを通ることなくそのまま流し去られて、流水だけが分水用開口６ｃを通ってピット３のインバート４から分岐流雪溝２に分水されて流れ込むようになる。
【００４８】
この水路部材６の分水用開口６ｃは底部に形成されていることから、流雪溝１が急勾配で、流水の流速が非常に早くなったとしても、流水が底部６ｂの分水用開口６ｃから分岐流雪溝２に流れ込みやすくなる。
【００４９】
また、流雪溝１の流水の水位が下がったとしても、雪塊は流水の水面近くに浮かんだ状態であるから、底部６ｂの分水用開口６ｃが雪塊で塞がれて雪塊が渋滞するおそれがなくなって、分水用開口６ｃから流水だけが分岐流雪溝２に流れ込むようになる。これらのことから、分岐流雪溝２に常に適正な分水量を確保できるようになる。
【００５０】
さらに、シャッター部材９は、Ｔ型ハンドル１４の回転操作量で開閉スライド位置を微調整できるから、分水量を調整することができる。
【００５１】
上記分水用開口６ｃの下流端には、ビニールなどのゴミが引っ掛かることがある。このゴミは、同時にゴミ取り部材３３の引っ掛け部３３ａにも引っ掛かるから、図１３（ｃ）に示したような伸縮式のフック棒３５を用いて、ゴミ取り部材３３を上揺動させ、引っ掛け部３３ａを水面上に引き上げることにより、分水用開口６ｃに引っ掛かったゴミをゴミ取り部材３３の引っ掛け部３３ａで水面上に持ち上げて簡単に取り除くことができる。
【００５２】
一方、流雪溝１の一部である水路部材６内の水位が下がったときには、分水用開口６ｃが雪塊で塞がれて雪塊が渋滞するおそれがある。
【００５３】
このような場合には、フック状操作レバー２１を堰操作軸２０のフック部２０ａに引っ掛けて、係止部材７の上下方向の係止溝７ａのいずれか１つに係合させるように操作して、可動堰部材１６の湾曲板１６ｂを上動させると、可動堰部材１６の堰高を調整することができる。
【００５４】
これにより、水路部材６内の水位が上がることから、分水用開口６ｃが雪塊で塞がれて雪塊が渋滞するおそれがなくなる。
【００５５】
また、ピット３のインバート４に砂が堆積した場合には、可動堰部材１６の下流端の後平板１６ｄをガイド６ｈの間から上流方向に抜き取ると、水路部材６の排砂用開口６ｆが開放するので、インバート４に堆積した砂を分水の水流によって排砂用開口６ｆから流雪溝１に排出することができる。この砂の排出は定期的に行うことが好ましい。
【００５６】
さらに、ピット３のインバート４は、上下流方向に湾曲されているから、水利特性が向上するとともに、堆積した砂の排出がスムーズになる。
【００５７】
さらにまた、水路部材６の下流側の流雪溝１で雪塊が渋滞しているような緊急時には、Ｔ型ハンドル１４でゲート操作軸２４を図１において左回りに回転させると、ゲート２５が開き旋回（若しくはスライド）するようになる。
【００５８】
これにより、水路部材６の分水用開口６ｃをバイパスして、上流側の流雪溝１から流水とともに雪塊を直接に分岐流雪溝２に流し去ることができる。
【００５９】
【発明の効果】
以上の説明からも明らかなように、本発明は、分岐部分のピット内では、流雪溝を繋ぐように架橋された水路部材（流雪溝の一部）で流水とともに雪塊が流し去られるとともに、水路部材の底部の分水用開口から流水だけがピット底部のインバートから分岐流雪溝に分水されて流れ込むようになる。
【００６０】
この水路部材の分水用開口は底部に形成されていることから、流雪溝が急勾配で、流水の流速が非常に早くなったとしても、流水が底部の分水用開口から分岐流雪溝に流れ込みやすくなる。また、流雪溝の流水の水位が下がったとしても、雪塊は流水の水面近くに浮かんだ状態であるから、底部の分水用開口が雪塊で塞がれて雪塊が渋滞するおそれがなくなって、分水用開口から流水だけが分岐流雪溝に流れ込むようになる。これらのことから、分岐流雪溝に常に適正な分水量を確保できるようになる。
【００６１】
また、水路部材の底部に、分水用開口を開閉可能なシャッター部材を設けると（請求項２）、分水量を調整することができる。
【００６２】
さらに、水路部材の底部に、分水用開口の下流側に位置して上下動可能な可動堰部材を設けると（請求項３）、流雪溝の一部である水路部材内の水位が下がったときに、可動堰部材を堰高にして水位を上げることにより、分水用開口が雪塊で塞がれて雪塊が渋滞するおそれがなくなる。
【００６３】
さらにまた、可動堰部材に対応する水路部材の底部に、排砂用開口を形成し、この可動堰部材は、排砂用開口を開放できるように下流側が取り外し可能であると（請求項４）、可動堰部材の下流側を取り外して排砂用開口を開放することにより、ピットのインバートに堆積した砂を分水の水流によって排砂用開口から流雪溝に排出できるようになる。
【００６４】
また、ピットのインバートを上下流方向に湾曲させると（請求項５）、水利特性が向上するとともに、堆積した砂をスムーズに排出できるようになる。
【００６５】
さらに、水路部材の側部に、水路部材内の流水を分岐流雪溝に分水する緊急分水用開口を形成するとともに、この緊急分水用開口を開閉可能なゲートを設けると（請求項６）、水路部材の下流側の流雪溝で雪塊が渋滞しているような緊急時に、水路部材の分水用開口をバイパスして、上流側の流雪溝から流水とともに雪塊を直接に分岐流雪溝に流し去ることができる。
【００６６】
さらにまた、水路部材内に、分水用開口に引っ掛かったゴミを引っかけて上方に持ち上げ可能なゴミ取り部材を設けると（請求項７）、分水用開口に引っ掛かったゴミは、ゴミ取り部材で水面上に持ち上げて簡単に取り除くことができる。
【図面の簡単な説明】
【図１】旋回式ゲートを備えた流雪溝の分岐設備の平面図である。
【図２】図１の側面図である。
【図３】図２のＡ−Ａ線断面図である。
【図４】水路部材であり、（ａ）は平面図、（ｂ）は側面図である。
【図５】（ａ）は図４（ｂ）のＢ−Ｂ線断面図、（ｂ）は係止部材の正面図である。
【図６】シャッター部材とスライド機構であり、（ａ）は平面図、（ｂ）は側面図である。
【図７】（ａ）は図１のＣ−Ｃ線断面図、（ｂ）はシャッター部材の平面図である。
【図８】可動堰部材であり、（ａ）は要部破断平面図、（ｂ）は側面図である。
【図９】可動堰部材であり、（ａ）は要部破断正面図、（ｂ）は図８（ｂ）の要部拡大図である。
【図１０】ゴミ取り部材であり、（ａ）は正面図、（ｂ）は側面図である。
【図１１】スライド式ゲートを備えた流雪溝の分岐設備の平面図である。
【図１２】図１１の側面図である。
【図１３】（ａ）はＴ型ハンドルの正面図、（ｂ）は角穴の拡大図、（ｃ）はフック棒の正面図である。
【符号の説明】
１　　流雪溝
１ａ　底部
２　　分流用流雪溝
３　　ピット
４　　インバート
６　　水路部材
６ｂ　底部
６ｃ　分水用開口
６ｆ　排砂用開口
６ｊ　緊急分水用開口
９　　シャッター部材
１６　可動堰部材
２５　ゲート
【図１】
2004060166.tif 000003
【図２】
2004060166.tif 000004
【図３】
2004060166.tif 000005
【図４】
2004060166.tif 000006
【図５】
2004060166.tif 000007
【図６】
2004060166.tif 000008
【図７】
2004060166.tif 000009
【図８】
2004060166.tif 000010
【図９】
2004060166.tif 000011
【図１０】
2004060166.tif 000012
【図１１】
2004060166.tif 000013
【図１２】
2004060166.tif 000014
【図１３】
2004060166.tif 000015